【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
入力領域が設けられて、前記入力領域への接触または接触の移動を感知する感知部と、
前記入力領域に設けられた基準位置を中心に放射状に相互均等な隔離距離を持って配置される複数の方向指示部と、
前記感知部で感知された前記各方向指示部への接触、または前記方向指示部での 接触点の移動方向によって各入力動作に対応するデータをメモリー部から抽出して入力する制御部と、を含む入力装置。
【請求項２】
前記基準位置に設けられ基準位置表示部と、前記基準位置表示部及び前記各方向指示部のうちの一つ以上の一側に設けられ、前記基準位置表示部及び前記方向指示部で行なわれる接触点の移動方向による前記各入力動作の方向を表示する方向表示部をさらに含み、
前記制御部は、前記基準位置表示部を通過する接触点の移動方向によって各入力動作に対応するデータを前記メモリー部から抽出して入力する請求項１に記載の入力装置。
【請求項３】
前記入力動作は、前記接触点が前記各方向指示部に接触する動作と、前記接触点が前記基準位置表示部側から前記各方向指示部に向かって外向き移動する動作と、前記接触点が前記各方向指示部から前記基準位置表示部に向かって内向き移動する 動作と、前記接触点がいずれか一つの方向指示部から前記基準位置表示部を通過していずれか他の方向指示部に移動する動作と、前記接触点が前記各方向指示部から前記基準位置表示部を中心に所定半径を持つ円の接線方向に移動する動作と、前記接触点が前記基準位置表示部を中心に円周方向に移動する動作と、前記接触点が前記基準位置表示部を中心に対角方向に移動する動作と、前記接触点が前記各方向指示部で前記基準位置表示部を中心に前後方向に移動する動作と、前記接触点が前記各方向指示部で前記基準位置表示部を中心に左右方向に移動する動作と、前記接触点が前記各方向指示部で前記基準位置表示部を中心に前後左右方向に移動する動作のうち１つ以上によって行なわれる請求項２に記載の入力装置。
【請求項４】
前記制御部は、前記各方向指示部における接触点の移動方向によって互いに異なる信号をそれぞれ区分して入力する請求項３に記載の入力装置。
【請求項５】
前記制御部は、前記円周方向の入力動作が開始及び終了わる各方向指示部、入力動作の方向及び入力動作の距離によってそれぞれ異なる文字を抽出して入力する請求項３に記載の入力装置。
【請求項６】
前記基準位置表示部には、前記基準位置表示部への接触を感知する基準入力感知部が設けられる請求項２に記載の入力装置。
【請求項７】
前記入力動作が前記接触点の移動によって行なわれる場合、前記接触点の移動距離の差によって２段以上の多段入力が可能に設けられる請求項１〜５のいずれか１項に記載の入力装置。
【請求項８】
前記感知部の下部に設けられて、前記各方向指示部への押下を感知する押下感知部をさらに含み、
前記制御部は、前記押下感知部で感知された前記各方向指示部への押下に対応するデータを前記メモリー部から抽出して入力することと一緒にして、前記押下感知部に対する押下強度によって２以上の互異なるデータを前記メモリー部から抽出して入力する請求項２に記載の入力装置。
【請求項９】
前記方向表示部には、前記各方向表示部による入力動作によって入力される文字が表示される請求項２に記載の入力装置。
【請求項１０】
前記基準位置表示部は、前記入力領域内で移動可能に設けられる請求項２に記載の入力装置。
【請求項１１】
前記感知部がタッチスクリーンからなる場合に、前記入力領域の一側には待機領域が設けられ、前記入力領域に位置している前記基準位置表示部または方向表示部のいずれかをタッチして前記待機領域へ移動させると、前記方向表示部は前記タッチスクリーンから消え、前記基準位置表示部をタッチして前記入力領域に復帰させると前記方向表示部が再び表示される請求項１に記載の入力装置。
【請求項１２】
前記感知部がタッチスクリーンからなる場合に、前記基準位置表示部または前記方向指示部及び前記方向表示部は２つ以上設けられ、前記入力領域の上下端部または前記タッチスクリーンに接した前記ベースに互いに所定距離離れて配置される請求項１に記載の入力装置。
【請求項１３】
前記制御部により抽出された文字が表示される表示部をさらに含み、
前記表示部には、前記各入力動作に割り当てられた文字が表示された文字表示部が設けられる請求項１〜５のいずれか１項に記載の入力装置。
【請求項１４】
前記入力装置は、マウス入力モードに切り換わる場合、前記接触点の移動によってポインタ移動が行なわれ、接触によってマウスの左右ボタン機能が行なわれる請求項２に記載の入力装置。
【請求項１５】
前記入力装置は、ジョイスチック入力モードに切り換わる場合、前記接触点の移動によってゲームキャラクターの移動が行なわれ、接触によってゲームキャラクターの操作機能が行なわれる請求項２に記載の入力装置。
【請求項１６】
前記接触点の移動時に、前記基準位置表示部から遠ざかるほど前記マウスポインタの移動速度またはゲームキャラクターの移動速度が次第に増加する請求項１４または１５のいずれかに記載の入力装置。
【請求項１７】
前記基準位置表示部は、前記入力領域に２セット設けられ、
いずれか一つの基準位置表示部セットによってはマウスポインタまたはゲームキャラクターの移動が行なわれ、他の基準位置表示部セットによってはマウスの左右ボタンまたはゲームキャラクターの操作が行なわれる請求項１４または１５のいずれかに記載の入力装置。
【請求項１８】
前記各方向指示部の間に設けられる複数の補助方向指示部をさらに含む請求項２に記載の入力装置。
【請求項１９】
前記基準位置表示部を通過する接触点の移動動作と、前記各方向指示部における接触点の前後左右への移動動作と、前記各方向指示部への接触動作とのいずれか一つによっては子音文字が入力され、他の一つによっては母音文字が入力され、もう一つによっては機能命令が入力される請求項２に記載の入力装置。
【請求項２０】
前記各方向指示部には複数の入力対象が配置され、
前記制御部は、前記各入力対象に対する接触、前記各入力対象を基準に前記基準位置側から前記各入力対象の外部側に向かう外向き接触移動、及び前記各入力対象を基準に前記基準位置側から前記各入力対象の内部側に向かう内向き接触移動を、前記感知部の感知結果に基づいて識別し、前記各入力対象に対応するデータを前記メモリー部から抽出して入力する請求項１に記載の入力装置。
【請求項２１】
前記方向指示部は、全体的にリング形状を持つ一体型に形成される請求項２０に記載の入力装置。
【請求項２２】
前記入力対象のうち、内向き接触移動入力及び外向き接触移動入力のための入力対象には、それぞれ内向き接触移動と外向き接触移動を区分できる入力移動方向が表示されている請求項２０に記載の入力装置。
【請求項２３】
前記方向指示部には円周接触移動入力が可能であり、前記制御部は、前記円周接触移動入力時に経路に沿って移動し、最初入力と最終入力のみを有効な入力として処理する請求項２０に記載の入力装置。
【請求項２４】
前記感知部が、前記方向指示部に対する接触入力、内向き接触移動入力、外向き接触移動入力、円周接触移動入力のうち２つ以上の入力を連続する一つの入力として感知すると、前記制御部は、各入力に対応する文字がそれぞれ入力されたものとして入力処理する請求項２３に記載の入力装置。